【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
粉体を収容する収容部と、開口を形成する開口部とを備えた収容容器と、
前記開口部を覆うことで前記開口を密栓する密栓部材と、
前記密栓部材を前記開口部に向かって付勢することにより前記開口を密栓する密栓状態とし、前記密栓状態で前記収容容器の内圧が上昇することにより、前記密栓部材を前記開口部から離間した開放状態とする付勢手段と、を有し、
前記離間した前記密栓部材と前記開口部との隙間に、前記粉体が流れる通路が形成されるものであって、
前記開口部は、前記密栓部材によって覆われる領域に形成された前記通路に前記粉体が貯留する貯留部を備えることを特徴とする密封装置。
【請求項２】
前記貯留部内の底部に凹凸部を設けることを特徴とする請求項１に記載の密封装置。
【請求項３】
前記貯留部内の底部と対向する前記密栓部材の領域に突起部を設けることを特徴とする請求項１に記載の密封装置。
【請求項４】
粉体を収容する収容部と、開口を形成する開口部とを備えた収容容器と、
前記開口部を覆うことで前記開口を密栓する密栓部材と、
前記密栓部材を前記開口部に向かって付勢することにより前記開口を密栓する密栓状態とし、前記密栓状態で前記収容容器の内圧が上昇することにより、前記密栓部材が前記開口部から離間した開放状態とする付勢手段と、を有し、
前記離間した前記密栓部材と前記開口部との隙間に、前記粉体が流れる通路が形成されるものであって、
前記密栓部材は、前記開口部を覆う領域に形成された前記通路に前記粉体が貯留する貯留部を備えることを特徴とする密封装置。
【請求項５】
前記貯留部内の底部に凹凸部を設けることを特徴とする請求項４に記載の密封装置。
【請求項６】
前記貯留部内の底部と対向する前記開口部の領域に突起部を設けることを特徴とする請求項４に記載の密封装置。
【請求項７】
前記密栓部材は、前記開口の内部を通る主軸部を有していることを特徴とする請求項１又は請求項４に記載の密封装置。
【請求項８】
前記粉体は、画像を可視化する現像剤であることを特徴とする請求項１又は請求項４に記載の密封装置。
【請求項９】
前記現像剤によって可視化された可視像を担持する像剤担持体から前記現像剤を取り除くクリーニング装置において、請求項８に記載の密封装置を備えたことを特徴とするクリーニング装置。
【請求項１０】
前記現像剤を担持する現像剤担持体から前記現像剤を現像する現像装置において、請求項８に記載の密封装置を備えたことを特徴とする現像装置。
【請求項１１】
請求項９に記載のクリーニング装置を記録媒体に画像を形成する画像形成部に備えたことを特徴とする画像形成装置。
【請求項１２】
請求項１０に記載の現像装置を記録媒体に画像を形成する画像形成部に備えたことを特徴とする画像形成装置。
【手続補正２】
【補正対象書類名】明細書
【補正対象項目名】００１１
【補正方法】変更
【補正の内容】
【００１１】
上記目的を達成する為、本発明では、粉体を収容する収容部と、開口を形成する開口部とを備えた収容容器と、前記開口部を覆うことで前記開口を密栓する密栓部材と、前記密栓部材を前記開口部に向かって付勢することにより前記開口を密栓する密栓状態とし、前記密栓状態で前記収容容器の内圧が上昇することにより、前記密栓部材を前記開口部から離間した開放状態とする付勢手段と、を有し、前記離間した前記密栓部材と前記開口部との隙間に、前記粉体が流れる通路が形成されるものであって、前記開口部は、前記密栓部材によって覆われる領域に形成された前記通路に前記粉体が貯留する貯留部を備える構成である。
【手続補正３】
【補正対象書類名】明細書
【補正対象項目名】００１２
【補正方法】変更
【補正の内容】
【００１２】
又、上記目的を達成する為、本発明では、粉体を収容する収容部と、開口を形成する開口部とを備えた収容容器と、前記開口部を覆うことで前記開口を密栓する密栓部材と、前記密栓部材を前記開口部に向かって付勢することにより前記開口を密栓する密栓状態とし、前記密栓状態で前記収容容器の内圧が上昇することにより、前記密栓部材が前記開口部から離間した開放状態とする付勢手段と、を有し、前記離間した前記密栓部材と前記開口部との隙間に、前記粉体が流れる通路が形成されるものであって、前記密栓部材は、前記開口部を覆う領域に形成された前記通路に前記粉体が貯留する貯留部を備える構成である。
【手続補正４】
【補正対象書類名】明細書
【補正対象項目名】００１６
【補正方法】変更
【補正の内容】
【００１６】
本発明に関わる画像形成装置について、図１を用いて説明する。
図１に示した画像形成装置１は、電子写真方式を用いた画像形成部を有する装置である。この画像形成装置１には、複数枚の記録媒体が収容されるユニバーサルカセット２が出し入れ自在に備えられている。また、画像形成装置１の図示右側壁部には、葉書などの小サイズの記録媒体を給紙可能とする矩形状の手差しトレイ３が開閉自在に設けられている。この手差しトレイ３は、下辺部を中心にして矢印Ａ方向に回動し、記録媒体を載置できる位置（不図示）まで開放されるように構成されている。画像形成装置１の上部には、画像が形成された記録媒体Pが積載される排紙トレイ４が形成されている。この排紙トレイ４の頂面の正面手前側には、ユーザーが印刷する記録媒体の枚数などを入力する操作パネル（不図示）が配置されているとともに、上方には、複写する原稿の画像を読み取る読取スキャナ５が配置されている。
【手続補正５】
【補正対象書類名】明細書
【補正対象項目名】００２１
【補正方法】変更
【補正の内容】
【００２１】
次に、クリーニング装置を含むドラムカートリッジ１００に関して、図２及び図３を用いて説明する。図２は、クリーニング装置を含むドラムカートリッジ１００の縦断面図である。図３は、クリーニング装置を含むドラムカートリッジ１００の横断面図である。ドラムカートリッジ１００には、感光ドラム１０１が設けられているとともに、その感光ドラム１０１の周面には、クリーニングブレード１０３の摺接板１０３ａが接触配置されている。クリーニングブレード１０３の摺接板１０３ａは、ウレタンゴム製部材から形成されており、板金状の支持板１０３ｂに一体的に連結されている。また、感光ドラム１０１の回転方向（図中矢印Ｇ方向）の下流側には、所定の抵抗値を有する帯電ローラ１０２が、約０．４Ｎの当接圧をもって接触配置されている。
【手続補正６】
【補正対象書類名】明細書
【補正対象項目名】００２３
【補正方法】変更
【補正の内容】
【００２３】
さらに、図３に記載されているクリーニング装置の収容容器１０４のクリーニング室１０４ａ内には、攪拌搬送部材を構成する、螺旋状の搬送スクリュー１０６が略水平に延在するように設けられており、本体の駆動部（図示省略）から回転駆動を受ける構成である。そして、上述したクリーニングブレード１０３で掻き取られた残留トナー１５０は、搬送スクリュー１０６の回転によって排出口１１０に向かって搬送されていき、ドラムカートリッジ１００の外部に排出されるようになっている。これによって残留トナー１５０の過剰な蓄積状態が回避され、感光ドラム１０１の寿命までドラムカートリッジ１００を使い切ることが出来る。
【手続補正７】
【補正対象書類名】明細書
【補正対象項目名】００２４
【補正方法】変更
【補正の内容】
【００２４】
このとき、前記感光ドラム１０１の長手方向の一方側の軸端部は、収容容器１０４に設けられたポリカーボネートからなる軸受部１０７に軸支されているとともに、感光ドラム１０１の他方側が、前記クリーニング装置の収容容器１０４の壁部に取り付けられた金属シャフト１０８に回転可能に軸支されている。また、上述した軸受部１０７側の軸端部には、本体から駆動を受けるためのカップリング１０１ａが設けられている。
【手続補正８】
【補正対象書類名】明細書
【補正対象項目名】００２５
【補正方法】変更
【補正の内容】
【００２５】
一方、前述したようにクリーニング装置の収容容器１０４のクリーニング室１０４ａ内に配置された、螺旋状の搬送スクリュー１０６は、長尺の攪拌搬送部材から形成されており、図３中の右端側の軸端部１１１が、後述する密栓部材１２０を介して図示を省略した回転駆動源に連結されるとともに、密栓部材１２０を介して収容容器１０４に設けられた開口部１３０により回転自在に軸支されている。
【手続補正９】
【補正対象書類名】明細書
【補正対象項目名】００２９
【補正方法】変更
【補正の内容】
【００２９】
又、図５に示されているように、前記密栓部材１２０の主軸部１２０ａは、クリーニング装置の収容容器１０４に固定された開口を形成する開口部１３０によって回転自在に軸支されている。この開口部１３０は、例えばポリアセタール樹脂（ＰＯＭ）を用いて成型されており、上述した主軸部１２０ａを軸支する略中空円筒状の軸受内周壁部１３０ｂを有している。この軸受内周壁部１３０ｂの内周面は、前記主軸部１２０ａの外周面と微少隙間（約１００μｍ）をなすように配置されており、それによって上述した回転側遮断部１２０ｃが、摺擦抵抗を受けることなく回転自在に構成にされている。
【手続補正１０】
【補正対象書類名】明細書
【補正対象項目名】００４０
【補正方法】変更
【補正の内容】
【００４０】
先ず、図６（ａ）の密栓状態について説明する。
クリーニング装置を含むドラムカートリッジ１００を本体に装着した状態で、付勢手段であるコイルスプリング１３２によりカップリング１３３を介して密栓部材１２０を矢印Ｈ方向に押圧する。この押圧によって、開口部１３０は、密栓部材１２０によって覆われ密栓される密栓状態となる。すなわち、回転側遮断部１２０ｃが、軸受内周壁部１３０ｂ及び軸受外周壁部１３０ｄの軸方向外端縁部に当接される。又、不図示の駆動部からカップリング１３３を介して密栓部材１２０に回転駆動が与えられ、それによって密栓部材１２０が定常回転される。